(57)【要約】【課題】電子銃からの干渉を改善して、ＶＭコイルの感度を向上し得る陰極線管装置を提供する。【解決手段】ファンネルとネックとが連設されている周辺部分に、コンバーゼンスおよびピュリティの調整に使用されるマグネットリングが外周に設けられる円筒状の第１のホルダーと、速度変調コイルが設けられて、前記第１のホルダーに対して管軸に沿って遊離する円筒状の第２のホルダーとを備える。さらに、前記第１のホルダーは、前記管軸に沿ってアノード側に前記第２のホルダーを付勢する弾性部を有する。【選択図】  図２
2004363053.tif 000002
【特許請求の範囲】
【請求項１】
ファンネルとネックとが連設されている周辺部分に、
コンバーゼンスおよびピュリティの調整に使用されるマグネットリングが外周に設けられる円筒状の第１のホルダーと、
速度変調コイルが設けられて、前記第１のホルダーに対して管軸に沿って遊離する円筒状の第２のホルダーと
を備えることを特徴とする陰極線管装置。
【請求項２】
ファンネルとネックとが連設されている周辺部分に、
コンバーゼンスおよびピュリティの調整に使用されるマグネットリングが外周に設けられる円筒状の第１のホルダーと、
錐台状部分の外周にフェライトコアが設けられ、管状部分に速度変調コイルが設けられて、前記第１のホルダーに対して管軸に沿って遊離する漏斗状の第２のホルダーと
を備えることを特徴とする陰極線管装置。
【請求項３】
前記第１のホルダーは、前記管軸に沿ってアノード側に前記第２のホルダーを付勢する弾性部を有することを特徴とする請求項１又は２に記載の陰極線管装置。
【請求項４】
前記第２のホルダーは、前記第１のホルダーに当接して、前記管軸に沿ってアノード側に前記第２のホルダーが付勢される弾性部を有することを特徴とする請求項１又は２に記載の陰極線管装置。
【発明の詳細な説明】
【０００１】
【発明の属する技術分野】
本発明は、陰極線管装置に関し、特に、ＶＭコイルの感度を向上し得る陰極線管装置に関する。
【０００２】
【従来の技術】
従来、陰極線管装置において、画像輪郭を強調する方法の一つとして、速度変調コイル（以下、ＶＭコイルと呼称する）を利用して、電子銃から射出される電子ビームの水平方向の偏向速度を制御する方法がある。
図１１は、従来の技術における陰極線管装置のネック付近の構成を示す概要図である。
【０００３】
同図に示すように、陰極線管装置において、ファンネル１２とネック１３とが接合されている周辺部分（以下、ネック周辺部２０と呼称する）の外周に、偏向ヨーク（以下、ＤＹ部２１と呼称する）、コンバーゼンスヨーク（以下、ＣＹ部２２と呼称する）などが取り付けられている。そして、ネック１３の内部に組み込まれた電子銃１６から射出された３本の電子ビームは、ＤＹ部２１で偏向されて蛍光面（不図示）上で集束する。
【０００４】
ＤＹ部２１は、錐台状の樹脂枠（以下、ＤＹホルダーと呼称する）３１の内側に、水平偏向コイル２４ｈが形成され、その外側に垂直偏向コイル２４ｖが形成されている。さらに、垂直偏向コイル２４ｖの外側に、フェライトコア２５が取り付けられている。
ＣＹ部２２は、円筒状の樹脂枠（以下、ＣＹホルダーと呼称する）３２の外側に、スタティックコンバーゼンスおよびピュリティの調整に使用されるマグネットリング２６ａ〜２６ｈが、アノード側から、マグネットリング２６ａ，２６ｂ，・・・，２６ｈの順に取り付けられている。さらに、ＣＹホルダー３２に取り付けられているマグネットリング２６ａとマグネットリング２６ｂとの間を、電子銃１６のメインレンズが形成される位置に合わせて、ネック１３に取り付けられている。また、ＣＹホルダー３２の外側に、ＶＭコイル２７が垂直方向に対向してそれぞれ形成されている。
【０００５】
そして、ＤＹ部２１のプルバックばらつきマージンと、ＣＹ部２２の取り付けばらつきマージンとを取って、標準プルバック時のＤＹ部２１のカソード側からＶＭコイルのアノード側の間に設けられるマージンが設計されている。
具体的には、ＤＹ部２１のプルバックばらつきマージンに、ＤＹ部２１に対する１ｍｍとファンネル１２に対する１ｍｍとで、合計２ｍｍが取られており、ＣＹ部２２の取り付けばらつきマージンに約２．５ｍｍが取られている。そして、両方のばらつきマージンを考慮して、ＤＹ部２１のカソード側からＣＹ部２２のアノード側までの間に設けられるマージンに約４．５ｍｍが取られている。
【０００６】
なお、速度変調コイルとコンバーゼンスヨークとに関する技術は、例えば、特許文献１に記載されている。
【０００７】
【特許文献１】
特開２００２−１１００６９号公報
【０００８】
【発明が解決しようとする課題】
しかしながら、ＣＹホルダー３２にＶＭコイル２７が形成されていることにより、電子銃１６のメインレンズに合わせてＣＹ部２２の位置が決まると、必然的にＶＭコイル２７の位置も決まる。また、ＤＹ部２１のカソード側からＶＭコイル２７のアノード側の間にマージン（約４．５ｍｍ）があるにも拘らず、ＶＭコイル２７をアノード側に移動することができない。結果、電子銃１６からの干渉を少しでも軽減してＶＭコイル２７の感度を向上することができないという問題がある。
【０００９】
本発明は、前述の問題に鑑みてなされたものであり、電子銃からの干渉を改善して、ＶＭコイルの感度を向上し得る陰極線管装置を提供することを目的とする。
【００１０】
【課題を解決するための手段】
＜解決手段１＞
前述の問題を解決するにあたり、本発明に係わる陰極線管装置は、ファンネルとネックとが連設されている周辺部分に、コンバーゼンスおよびピュリティの調整に使用されるマグネットリングが外周に設けられる円筒状の第１のホルダーと、速度変調コイルが設けられて、前記第１のホルダーに対して管軸に沿って遊離する円筒状の第２のホルダーとを備えることとする。
【００１１】
これによって、従来よりもＶＭコイルの位置をアノード側に寄せることができ、電子銃による影響でＶＭコイルの磁界が減少することを防ぐことができ、ＶＭコイルの感度を向上させることが可能という効果がある。さらに、感度が向上すると、省エネも実現することが可能という効果もある。
＜解決手段２＞
前述の問題を解決するにあたり、本発明に係わる陰極線管装置は、ファンネルとネックとが連設されている周辺部分に、コンバーゼンスおよびピュリティの調整に使用されるマグネットリングが外周に設けられる円筒状の第１のホルダーと、錐台状部分の外周にフェライトコアが設けられ、管状部分に速度変調コイルが設けられて、前記第１のホルダーに対して管軸に沿って遊離する漏斗状の第２のホルダーとを備えることとする。
【００１２】
これによって、解決手段１に記載の内容と同様の効果がある。
＜解決手段３＞
さらに、解決手段１又は２に記載の内容に加えて、前記第１のホルダーは、前記管軸に沿ってアノード側に前記第２のホルダーを付勢する弾性部を有することとしてもよい。
【００１３】
＜解決手段４＞
さらに、解決手段１又は２に記載の内容に加えて、前記第２のホルダーは、前記第１のホルダーに当接して、前記管軸に沿ってアノード側に前記第２のホルダーが付勢される弾性部を有することとしてもよい。
これによって、解決手段３に記載の内容と同様の効果がある。
【００１４】
【発明の実施の形態】
以下、本発明の実施の形態について図面を参照しながら説明する。なお、従来の技術において説明した構成要素と同一の構成要素については、同一の符号を付して、その説明を省略する。
また、図面を参照しながら説明するにあたり、対象物の位置、方向を示す場合には、単独で示している場合でも、陰極線管装置に取り付けられた場合を基準にして、その位置、方向を示す。
【００１５】
具体的には、陰極線管装置の管軸に平行な方向をＺ方向とし、垂直な方向をＲ方向とする。さらに、Ｚ方向においては、パネル寄りをアノード側とし、電子銃寄りをカソード側とする。Ｒ方向においては、管軸に近い方を内側、遠い方を外側とする。さらに、対象物をアノード側からみた面を正面とし、カソード側からみた面を背面とする。また、便宜上、垂直走査方向を上下とし、水平走査方向を左右として、正面からみて左側の面を左側面とし、右側の面を右側面とする。そして、上側の面を上面とし、下側の面を下面とする。なお、対象物の内部を示す際には、管軸を含む上下方向に切断したと想定して示す。
【００１６】
＜陰極線管装置＞
図１は、実施の形態における陰極管装置の構成を示す概要図である。
同図に示すように、陰極線管装置１０は、パネル１１、ファンネル１２、ネック１３、シャドウマスク１４、蛍光面１５、及び電子銃１６などから構成される。
【００１７】
パネル１１は、矩形型で蛍光面１５を内に有する。ファンネル１２は、パネル１１と対向して接合されている。ネック１３は、ファンネル１２に連設されている。シャドウマスク１４は、蛍光面１５を挟んでパネル１１にほぼ並行に配置され、多数の細かいスリットが設けられている。蛍光面１５は、赤、緑、青の蛍光体ストライプがパネル１１の内面に形成されている。電子銃１６は、ネック１３の内部に組み込まれて３本の電子ビームを射出する。
【００１８】
＜ネック周辺部＞
図２は、実施の形態における陰極線管装置のネック付近の構成を示す概要図である。
同図に示すように、ネック周辺部１２０は、従来のネック周辺部２０と比べて、ＣＹ部２２の代わりに、ＣＹ部１２２、ＶＭ部１２３などから構成される点が異なる。
【００１９】
ＣＹ部１２２は、円筒状の樹脂枠（以下、ＣＹホルダーと呼称する）１３２の外側に、スタティックコンバーゼンスおよびピュリティの調整に使用されるマグネットリング２６ａ〜２６ｈが、アノード側から、マグネットリング２６ａ，２６ｂ，・・・，２６ｈの順に取り付けられている。そして、ＣＹホルダー１３２に取り付けられているマグネットリング２６ａとマグネットリング２６ｂとの間に、電子銃１６のメインレンズが位置する様に配置されている。
【００２０】
ここでピュリティとは、画面中央の色純度および色ずれを指す。
ＶＭ部１２３は、円筒状の樹脂枠（以下、ＶＭホルダーと呼称する）１３３の外側に、ＶＭコイル２７が上下対向してそれぞれ形成されている。
＜ＣＹホルダー＞
図３（ａ）は、ＣＹ部に含まれるＣＹホルダーを、アノード側からみた斜視図であり、（ｂ）は、カソード側からみた斜視図である。
【００２１】
図３（ａ），（ｂ）に示すように、ＣＹホルダー１３２は、アノード側に、鍔（つば）１４１ａ，１４１ｂが形成され、カソード側に、切り欠き部１４２ａ〜１４２ｆが形成されている。また、外周のアノード側寄りに、突起部１４３ａ〜１４３ｄが形成され、外周のカソード側寄りに、突起部１４４ａ，１４４ｂが形成されている。さらに、内周のアノード側寄りに、突出部１４５ａ，１４５ｂが形成されている。そして、管軸に沿ってアノード側に延びている弾性部１４６ａが、鍔１４１ａに形成されている。なお、鍔１４１ｂについても、同様に弾性部１４６ｂが形成されている。
【００２２】
突起部１４３ａ〜１４３ｄは、マグネットリング２６ａ〜２６ｈがＣＹホルダー１３２に取り付けられた際に、鍔１４１ａ，１４１ｂと組み合わさって、マグネットリング２６ａ〜２６ｈを挟み込む様にして保持して、マグネットリング２６ａ〜２６ｈがＺ方向に移動することを抑止する。
突起部１４４ａ，１４４ｂは、図２で示されている保持バンド１８に形成された穴に通されて、保持バンド１８がＣＹホルダー１３２に取り付けられた際に、Ｚ方向および管軸を中心に回転する方向に、保持バンド１８が移動することを抑止する。
【００２３】
弾性部１４６ａは、鍔１４１ａと一体に成形されており、図２で示されているマージンを基準に、弾性部１４６ａのＺ方向の寸法が、少なくともマージン以上に特定されている。なお、弾性部１４６ｂについても、同様である。
＜ＶＭホルダー＞
図４（ａ）は、ＶＭ部に含まれるＶＭホルダーを、アノード側からみた斜視図であり、（ｂ）は、カソード側からみた斜視図である。
【００２４】
図４（ａ），（ｂ）に示すように、ＶＭホルダー１３３は、アノード側に、鍔１５１が形成され、カソード側に、切り欠き部１５２ａ，１５２ｂが形成されている。さらに、外周のアノード側寄りに段差部１５３ａ，１５３ｂが形成され、管軸に沿って延びている爪１５４ａ〜１５４ｄが、段差部１５３ａの四隅に、爪１５４ｅ〜１５４ｈが、段差部１５３ｂの四隅に、それぞれ形成されている。そして、爪１５４ａ〜１５４ｄに導線が巻き付けられて、段差部１５３ａを取り囲む様にしてＶＭコイル２７が設けられる。なお、段差部１５３ｂについても、同様にＶＭコイル２７が設けられる。
【００２５】
＜ＣＹホルダーとＶＭホルダー＞
図５（ａ）は、ＣＹホルダーとＶＭホルダーとを組み合わせた状態で、アノード側からみた斜視図であり、（ｂ）は、カソード側からみた斜視図である。
図５（ａ），（ｂ）に示すように、ＣＹホルダー１３２およびＶＭホルダー１３３は、それぞれ相対的に移動可能な状態で組み合わせられている。
【００２６】
このとき、ＣＹホルダー１３２の内周の径は、ＶＭホルダー１３３の最大外径とほぼ同じか、少し大きいぐらいとし、突出部１４５ａと突出部１４５ｂとの最短距離は、ＶＭホルダー１３３の内周の径とほぼ同じか、少し大きいぐらいとする。そして、ＶＭホルダー１３３は、ＣＹホルダー１３２の内側に入り込みつつ、弾性部１４６ａ，１４６ｂが、鍔１５１の背面に当接して、アノード側に押される。ＶＭホルダー１３３は、ＣＹホルダー１３２に対して管軸に沿って遊離することができる。
【００２７】
＜ＣＹホルダーとＶＭホルダーの内部＞
図６（ａ）は、ＣＹホルダーとＶＭホルダーとを組み合わせた状態で切断して、それらの内部をアノード側からみた斜視図であり、（ｂ）は、カソード側からみた斜視図である。
図６（ａ），（ｂ）に示すように、ＣＹホルダー１３２は、突出部１４５ａが切り欠き部１５２ａに嵌まり込み、ＶＭホルダー１３３が、内側に入り込み過ぎることを抑止しつつ、Ｚ方向には移動することはできても、管軸を中心に回転する方向には移動する（回転する）ことを抑止している。そして、弾性部１４６ａ，１４６ｂが、鍔１５１の背面に当接して、ＶＭホルダー１３３をアノード側に押す。なお、弾性部１４６ｂについても同様である。
【００２８】
＜ＶＭコイルの位置と感度＞
図７は、ＶＭコイルの位置と感度との関係を示すグラフである。
同図に示すように、従来のＶＭコイル２７の取り付け位置を標準位置（０ｍｍ）とし、その感度を１００％として、縦軸に感度、横軸に位置が示されている。例えば、ＣＹホルダー１３２とＶＭホルダー１３３とを使用することで、標準位置よりもさらに約４．５ｍｍ程、ＶＭコイル２７をＤＹ部２１側に配置することができる。そして、グラフ１５０で示される様に、約４．５ｍｍ程、ＶＭコイル２７をＤＹ部２１側に配置することができると、その感度が約３５％も向上することが窺える。
【００２９】
＜変形例＞
図８（ａ）は、変形例として、ＣＹホルダーに形成された弾性部の形状の例を示す側面図であり、（ｂ）は、弾性部がＶＭホルダーに形成された例を示す側面図である。
図８（ａ）に示すように、弾性部１４６ａ，１４６ｂの様に、内側に反っている代わりに、弾性部１４６ｃ，１４６ｄの様に、外側に反っているとしてもよい。
【００３０】
また、弾性部の形状としては、上下方向に反っている以外にも、左右方向に反っているとしてもよいし、Ｖ字、Ｕ字、Ｗ字などの形状としてもよいし、屏風状としてもよい。
図８（ｂ）に示すように、ＶＭホルダー１６３ａに形成されている弾性部１５５ａ，１５５ｂの様に、ＣＹホルダーの代わりに、ＶＭホルダーに弾性部が形成されているとしてもよい。
【００３１】
図９（ａ）は、変形例として、嵌め込み型で着脱自在の弾性部が取り付けられるＣＹホルダーの例を示す正面図であり、（ｂ）は、嵌め込み型で着脱自在の弾性部が取り付けられるＶＭホルダーの例を示す正面図であり、（ｃ）は、嵌め込み型で着脱自在の弾性部の例を示す側面図である。（ｄ）は、差し込み型で着脱自在の弾性部が取り付けられるＣＹホルダーの例を示す正面図であり、（ｅ）は、差し込み型で着脱自在の弾性部が取り付けられるＶＭホルダーの例を示す正面図であり、（ｆ）は、差し込み型で着脱自在の弾性部の例を示す側面図である。
【００３２】
図９（ａ）に示すように、切り欠き部１４７ａと突起部１４７ｃとが鍔１４１ｃに形成されたＣＹホルダー１７２ａの様に、弾性部が一体成形されているＣＹホルダーの代わりに、着脱自在の弾性部が取り付けられるＣＹホルダーとしてもよい。
図９（ｂ）に示すように、また、切り欠き部１５６ａと突起部１５６ｃとが鍔１５５に形成されたＶＭホルダー１７３ａの様に、ＣＹホルダーの代わりに、ＶＭホルダーに、着脱自在の弾性部が取り付けられるとしてもよい。
【００３３】
図９（ｃ）に示すように、このとき、切り欠き部１４７ａと突起部１４７ｃとに嵌め込まれる着脱自在の弾性部１７４ａ〜１７４ｆなどの様に、ＣＹホルダーまたはＶＭホルダーに形成された切り欠き部と突起部に嵌め込まれる弾性部と組み合わされる。
また、ＣＹホルダー１７２ａ、ＶＭホルダー１７３ａ、及び弾性部１７４ｅとを組み合わせて、根元より先端の厚みが若干薄い弾性部１７４ｅをＣＹホルダー１７２ａの切り欠け部１４７ａに嵌め込み、弾性部１７４ｅが外側に反る様にして、ＶＭホルダー１７３ａの切り欠き部１５６ａと、その先端を係わり合わさせて、内向に作用する力を利用して、ＶＭホルダー１７３ａをアノード側に押し出すとしてもよい。
【００３４】
図９（ｄ）に示すように、差し込み孔１４７ｅが鍔１４１ｅに形成されたＣＹホルダー１７２ｂの様に、弾性部が一体成形されているＣＹホルダーの代わりに、着脱自在の弾性部が取り付けられるＣＹホルダーとしてもよい。
図９（ｅ）に示すように、また、差し込み孔１５８ａが鍔１５７に形成されたＶＭホルダー１７３ｂの様に、ＣＹホルダーの代わりに、ＶＭホルダーに、着脱自在の弾性部が取り付けられるとしてもよい。
【００３５】
図９（ｆ）に示すように、このとき、差し込み孔１５８ａに差し込まれる着脱自在の弾性部１７５ａ〜１７５ｆなどの様に、ＣＹホルダーまたはＶＭホルダーに形成された差し込み孔に差し込まれる弾性部と組み合わされる。
また、ＣＹホルダー１７２ｂ、ＶＭホルダー１７３ｂ、及び弾性部１７５ｆとを組み合わせて、根元より先端の厚みが若干薄い弾性部１７５ｆをＣＹホルダー１７２ｂの差し込み孔１４７ｅに差し込み、弾性部１７５ｆが外側に反る様にして、ＶＭホルダー１７３ｂの差し込み孔１５８ａに、その先端を差し入れて、内向に作用する力を利用して、ＶＭホルダー１７３ｂをアノード側に押し出すとしてもよい。
【００３６】
また、ＣＹホルダー１７２ａ，１７２ｂのいずれかと、ＶＭホルダー１７３ａ，１７３ｂのいずれかとを組み合わせるとしてもよい。
図１０は、変形例として、ＶＭホルダーがＤＹホルダーによって固定される例を示す側面図である。
同図に示すように、ＣＹホルダーに形成された弾性部がＶＭホルダーに当接してＶＭホルダーがアノード側に押し出される代わりに、ＤＹホルダー１８１に形成された掛止部１８４ａと、鍔１８５の端に形成された係止部１８６ａとが係わりあって、ＶＭホルダー１８３がＤＹホルダー１８１に固定されるとしてもよい。
【００３７】
また、掛止部１８４ａとＶＭホルダー１８３の代わりに、掛止部１８４ｂと図９（ｂ）で示されているＶＭホルダー１７３ａとして、ＶＭホルダー１７３ａにおける切り欠き部１５６ａに掛止部１８４ｂを嵌め込んで、ＶＭホルダー１７３ａがＤＹホルダー１８１に固定されるとしてもよい。
このとき、掛止部１８４ｂは、切り欠き部１５６ａよりも若干内側の位置に形成させておくことで、ＶＭホルダー１７３ａが取り付けられると、若干外側に反って、ＶＭホルダー１７３ａに対して内向に力が作用して、掛止部１８４ｂの先端に形成された爪が切り欠き部１５６ａの内側の縁に引っ掛かって、ＶＭホルダー１７３ａを固定する。
【００３８】
同様に、掛止部１８４ｃと図９（ｅ）で示されているＶＭホルダー１７３ｂとして、ＶＭホルダー１７３ｂにおける差し込み孔１５８ａに掛止部１８４ｃを差し込んで、ＶＭホルダー１７３ｂがＤＹホルダー１８１に固定されるとしてもよい。
このとき、掛止部１８４ｃは、差し込み孔１５８ａよりも若干外側の位置に形成させておくことで、ＶＭホルダー１７３ｂが取り付けられると、若干内側に反って、ＶＭホルダー１７３ｂに対して外向に力が作用して、掛止部１８４ｃの先端に形成された爪が差し込み孔１５８ａの外側の縁に引っ掛かって、ＶＭホルダー１７３ｂを固定する。
【００３９】
また、ＤＹホルダーとＶＭホルダーとが、予め一体成形されているとしてもよい。この場合には、フェライトコアが外周に設けられる錐台状の部分と、ＶＭコイルが設けられる管状の部分とからなる漏斗状のホルダーに対して、ＣＹホルダーが管軸に沿って遊離する。
＜その他＞
なお、ＶＭホルダーは、陰極線管装置に取り付けられる際には、陰極線管装置に接着剤で固定されるとしてもよい。
【００４０】
なお、弾性部は、バネ、ゴムとしてもよい。
【００４１】
【発明の効果】
以上の様に、本発明に係わる陰極線管装置は、ＶＭコイルがＣＹホルダーに形成されずに、ＣＹホルダーとは別に独立したＶＭホルダーに形成されることにより、言い換えれば、ＣＹホルダーとは別に、ＶＭコイルが設けられるＶＭホルダーを独立して備えることにより、電子銃のメインレンズに合わせてＣＹ部の位置が決まっても、ＤＹ部のカソード側からＶＭコイルのアノード側の間に従来設けられていたマージン（約４．５ｍｍ）分、ＶＭコイルをＤＹ部側に移動することができる。
【００４２】
これにより、電子銃からの干渉を少しでも軽減してＶＭコイルの感度を向上することができないという問題を解決することが可能という効果がある。
【図面の簡単な説明】
【図１】実施の形態における陰極管装置の構成を示す概要図である。
【図２】実施の形態における陰極線管装置のネック付近の構成を示す概要図である。
【図３】（ａ）は、ＣＹ部に含まれるＣＹホルダーを、アノード側からみた斜視図であり、（ｂ）は、カソード側からみた斜視図である。
【図４】（ａ）は、ＶＭ部に含まれるＶＭホルダーを、アノード側からみた斜視図であり、（ｂ）は、カソード側からみた斜視図である。
【図５】（ａ）は、ＣＹホルダーとＶＭホルダーとを組み合わせた状態で、アノード側からみた斜視図であり、（ｂ）は、カソード側からみた斜視図である。
【図６】（ａ）は、ＣＹホルダーとＶＭホルダーとを組み合わせた状態で切断して、それらの内部をアノード側からみた斜視図であり、（ｂ）は、カソード側からみた斜視図である。
【図７】ＶＭコイルの位置と感度との関係を示すグラフである。
【図８】（ａ）は、変形例として、ＣＹホルダーに形成された弾性部の形状の例を示す側面図であり、（ｂ）は、弾性部がＶＭホルダーに形成された例を示す側面図である。
【図９】（ａ）は、変形例として、嵌め込み型で着脱自在の弾性部が取り付けられるＣＹホルダーの例を示す正面図であり、（ｂ）は、嵌め込み型で着脱自在の弾性部が取り付けられるＶＭホルダーの例を示す正面図であり、（ｃ）は、嵌め込み型で着脱自在の弾性部の例を示す側面図である。（ｄ）は、差し込み型で着脱自在の弾性部が取り付けられるＣＹホルダーの例を示す正面図であり、（ｅ）は、差し込み型で着脱自在の弾性部が取り付けられるＶＭホルダーの例を示す正面図であり、（ｆ）は、差し込み型で着脱自在の弾性部の例を示す側面図である。
【図１０】変形例として、ＶＭホルダーがＤＹホルダーによって固定される例を示す側面図である。
【図１１】従来の技術における陰極線管装置のネック付近の構成を示す概要図である。
【符号の説明】
１０  陰極線管装置
１１  パネル
１２  ファンネル
１３  ネック
１４  シャドウマスク
１５  蛍光面
１６  電子銃
１７，１８  保持バンド
２０  ネック周辺部
２１  ＤＹ部
２２  ＣＹ部
２４ｈ  水平偏向コイル
２４ｖ  垂直偏向コイル
２５  フェライトコア
２６ａ〜２６ｈ  マグネットリング
２７  ＶＭコイル
３１  ＤＹホルダー
３２  ＣＹホルダー
１２０  ネック周辺部
１２２  ＣＹ部
１２３  ＶＭ部
１３２  ＣＹホルダー
１３３  ＶＭホルダー
１４１ａ，１４１ｂ  鍔
１４２ａ〜１４２ｆ  切り欠き部
１４３ａ〜１４３ｄ  突起部
１４４ａ，１４４ｂ  突起部
１４５ａ，１４５ｂ  突出部
１４６ａ，１４６ｂ  弾性部
１５１  鍔
１５２ａ，１５２ｂ  切り欠き部
１５３ａ，１５３ｂ  段差部
１５４ａ〜１５４ｈ  爪
１４６ｃ，１４６ｄ  弾性部
１６２ａ  ＣＹホルダー
１５５ａ，１５５ｂ  弾性部
１６３ａ  ＶＭホルダー
１４１ｃ，１４１ｄ  鍔
１４７ａ，１４７ｂ  切り欠き部
１４７ｃ，１４７ｄ  突起部
１４１ｅ，１４１ｆ  鍔
１４７ｅ，１４７ｆ  差し込み孔
１７２ａ，１７２ｂ  ＣＹホルダー
１５５  鍔
１５６ａ，１５６ｂ  切り欠き部
１５６ｃ，１５６ｄ  突起部
１５７  鍔
１５８ａ，１５８ｂ  差し込み孔
１７３ａ，１７３ｂ  ＶＭホルダー
１７４ａ〜１７４ｆ  弾性部
１７５ａ〜１７５ｆ  弾性部
１８１  ＤＹホルダー
１８３  ＶＭホルダー
１８４ａ，１８４ｂ，１８４ｃ  掛止部
１８５  鍔
１８６ａ  係止部
【図１】
2004363053.tif 000003
【図２】
2004363053.tif 000004
【図３】
2004363053.tif 000005
【図４】
2004363053.tif 000006
【図５】
2004363053.tif 000007
【図６】
2004363053.tif 000008
【図７】
2004363053.tif 000009
【図８】
2004363053.tif 000010
【図９】
2004363053.tif 000011
【図１０】
2004363053.tif 000012
【図１１】
2004363053.tif 000013